(57)【要約】  本発明はフレキシブルディスプレイスクリーン及びフレキシブルデバイスを提供し、フレキシブルディスプレイスクリーンは、フレキシブルディスプレイスクリーンに位置する湾曲領域を備え、湾曲領域は少なくとも１つの配線層を備え、配線層は離間して配列された複数の導線を備え、各導線は同じ電流信号を送信するための少なくとも２つの電流経路を備える。導線には少なくとも２つの電流経路が存在するので、曲げ過程で導線が損壊されても電流を供給し続けることができる。従ってフレキシブルディスプレイスクリーンの安定性が高く、使用寿命が長い。【選択図】図１
2021508852.tif 000002
【特許請求の範囲】
【請求項１】
フレキシブルディスプレイスクリーンであって、
前記フレキシブルディスプレイスクリーンに位置する湾曲領域を備え、
前記湾曲領域は少なくとも１つの配線層を備え、
前記配線層は離間して配列された複数の導線を備え、
前記導線のそれぞれは、前記導線を通過する同じ電流信号を送信するための少なくとも２つの電流経路を備えることを特徴とする、
フレキシブルディスプレイスクリーン。
【請求項２】
前記導線はスルーホールグループを備え、
前記スルーホールグループは前記導線上に離間して並んで配置された第一スルーホールグループ及び第二スルーホールグループを備え、
前記第一スルーホールグループは離間して配置された複数の第一スルーホールを備え、
前記第二スルーホールグループは離間して配置された複数の第二スルーホールを備え、
前記電流経路は、前記複数の第一スルーホール及び前記複数の第二スルーホール以外の領域によって形成されることを特徴とする、
請求項１に記載のフレキシブルディスプレイスクリーン。
【請求項３】
前記複数の第一スルーホール及び前記複数の第二スルーホールはいずれも前記導線の延在方向に平行する方向に沿って配列され、
前記導線の延在方向に垂直する方向では、各々の隣り合う２つの前記第一スルーホールの間の隙間に対向して１つの前記第二スルーホールが設置され、且つ前記導線の延在方向に垂直な方向への前記第二スルーホールの正射影は前記隙間を覆うことを特徴とする、
請求項２に記載のフレキシブルディスプレイスクリーン。
【請求項４】
前記スルーホールグループは、前記導線上に設置され且つ前記第二スルーホールグループと離間して並んで配置された第三スルーホールグループを備え、
前記第三スルーホールグループは前記導線の延在方向に平行する方向に沿って離間して配置された複数の第三スルーホールを備えることを特徴とする、
請求項３に記載のフレキシブルディスプレイスクリーン。
【請求項５】
前記スルーホールグループの各スルーホールの形状は、円形、楕円形、三角形又は多角形のうちの一種又は二種以上であることを特徴とする、
請求項２又は３に記載のフレキシブルディスプレイスクリーン。
【請求項６】
前記配線層は積層絶縁設置された第一配線層及び第二配線層を備え、
前記第一配線層は離間して配列された複数の第一導線を備え、
前記第二配線層は離間して配列された複数の第二導線を備え、
前記第一導線と前記第二導線は１対１で対応し、且つ前記第一導線と前記第二導線との間に離間して設置された複数の導体によって接続されて複数の電流経路を形成することを特徴とする、
請求項１に記載のフレキシブルディスプレイスクリーン。
【請求項７】
前記第一導線及び前記第二導線は長手方向に沿って曲線形で延在され、前記導体は前記第一導線及び前記第二導線の湾曲部に接続されていることを特徴とする、
請求項６に記載のレキシブルディスプレイスクリーン。
【請求項８】
前記第一導線及び前記第二導線には帯状の貫通孔が設置されており、
前記帯状の貫通孔は、前記第一導線の延在方向に沿って延在され、且つ前記導体に隣接することを特徴とする、
請求項６に記載のフレキシブルディスプレイスクリーン。
【請求項９】
前記第一導線及び/又は前記第二導線には離間して並んで配置された第一スルーホールグループ及び第二スルーホールグループが設置されており、
前記第一スルーホールグループは離間して配置された複数の第一スルーホールを備え、
前記第二スルーホールグループは離間して配置された複数の第二スルーホールを備え、
前記複数の第一スルーホール及び前記複数の第二スルーホールはいずれも前記第一導線の延在方向に平行する方向に沿って配列され、且つ
前記第一導線の延在方向に垂直する方向では、各々の隣り合う２つの前記第一スルーホールの間の隙間に対向して１つの前記第二スルーホールが設置され、且つ前記隙間に対向する前記第二スルーホールの前記第一スルーホールグループの延在方向に垂直な方向への正射影は前記隙間を覆うことを特徴とする、
請求項６〜８のいずれか一項に記載のフレキシブルディスプレイスクリーン。
【請求項１０】
前記第一配線層と前記第二配線層との間には誘電体層が設置され、
前記導体は前記誘電体層内に設置され且つ前記第一導線及び前記第二導線に接続されることを特徴とする、
請求項９に記載のフレキシブルディスプレイスクリーン。
【請求項１１】
前記第一配線層と前記第二配線層は、電極層であることを特徴とする、
請求項６〜８のいずれか一項に記載のフレキシブルディスプレイスクリーン。
【請求項１２】
前記請求項１〜１０のいずれか一項に記載のフレキシブルディスプレイスクリーンを備えることを特徴とするフレキシブルデバイス。 
【発明の詳細な説明】
【技術分野】
【０００１】
本発明は、フレキシブル表示技術分野に関するものであり、特にフレキシブルディスプレイスクリーン及びフレキシブルデバイスに関するものである。
【背景技術】
【０００２】
フレキシブルディスプレイスクリーンは、軽量、小型、低消費電力、変形曲げ可能などの利点を有するので、ユーザーにますます人気のあるものになる。しかし、既存のフレキシブルディスプレイスクリーンにも以下の問題がある。すなわち、フレキシブルディスプレイスクリーンの曲げ過程で導線は複数回曲げられ、もし導線の強度が十分ではないと、導線は損傷し易く、又は電気接続が中断されて、ディスプレイスクリーンの作動に影響を与える。
【発明の概要】
【０００３】
本発明の実施形態は、高い安定性を有するフレキシブルディスプレイスクリーン及びフレキシブルデバイスを提供する。
【０００４】
本発明に係わるフレキシブルディスプレイスクリーンは、フレキシブルディスプレイスクリーンに位置する湾曲領域を備え、湾曲領域は少なくとも１つの配線層を備え、配線層は離間して配列された複数の導線を備え、各導線は同じ電流信号を送信するための少なくとも２つの電流経路を備える。
【０００５】
本発明に係わるフレキシブルデバイスは、フレキシブルディスプレイスクリーンを備える。
【０００６】
本実施形態において、フレキシブルディスプレイスクリーンの配線層内に少なくとも２つの電流経路を設置することにより、フレキシブルディスプレイスクリーンの曲げ過程で大きい引張応力による導線断線を効果的に避けることができ、従ってフレキシブルディスプレイスクリーンにおける導線断線又は導線電気接続中断の確率を低減する。このようにして、フレキシブルディスプレイスクリーンの安定性が大幅に向上し、フレキシブルディスプレイスクリーンの使用寿命が延長される。
【図面の簡単な説明】
【０００７】
以下、本発明の実施形態に係る技術的方案をより明確に説明するために、本発明の実施形態の説明に使用される図面について簡単に説明する。明らかに、以下説明される図面は、本発明の一部の実施形態だけのものであり、当業者であれば、これらの図面から創造的な努力なしに他の図面を得ることができる。
【図１】本発明に係わるフレキシブルディスプレイスクリーンの平面図である。
【図２】図１に示されたフレキシブルディスプレイスクリーンの曲げ状態を示す図面である。
【図３】図１のフレキシブルディスプレイスクリーンの構造の一部を示す平面図である。
【図４】図１に示されたフレキシブルディスプレイスクリーンの導線の第一実施形態の平面図である。
【図５】図４に示された導線が断裂した後の電流経路の模式図である。
【図６】図４の導線に第三スルーホールグループが設置されたことを示す図面である。
【図７】図６に示された導線が断線した後の電流経路の模式図である。
【図８】図１に示されたフレキシブルディスプレイスクリーンの導線の第二実施形態の概略図であり、図４に示された第一実施形態の導線と比べて、第一スルーホールグループ及び第二スルーホールグループの形状が異なる。
【図９】図１に示されたフレキシブルディスプレイスクリーンの導線の第三実施形態の概略図であり、図４に示された第一実施形態の導線と比べて、第一スルーホールグループ及び第二スルーホールグループの形状が異なる。
【図１０】図１に示されたフレキシブルディスプレイスクリーンの導線の第四実施形態の概略図である。
【図１１−１２】図１０に示された導線が断線した後の電流経路の模式図である。
【図１３】図１０の導線の第一スルーホールグループと第二スルーホールグループの接続概略図である。
【図１４】図１３に示された導線が断線した後の電流経路の模式図である。
【図１５】図１に示されたフレキシブルディスプレイスクリーンの導線の第五実施形態の概略図である。
【図１６】図１に示されたフレキシブルディスプレイスクリーンの導線の第六実施形態の概略図である。
【発明を実施するための形態】
【０００８】
以下、本発明の実施形態の添付の図面を参照しながら、本発明の実施形態の技術的方案を明確且つ完全に説明する。
【０００９】
本発明の実施形態は、フレキシブル端末、フレキシブルタブレットコンピュータ、表示機能を有するウェアラブルデバイスなどのフレキシブルデバイスに使用されるフレキシブルディスプレイスクリーンを提供する。
【００１０】
図１及び図２を参照すると、フレキシブルディスプレイスクリーン１００は、表示領域１０と、表示領域１０の周縁に位置する非表示領域２０と、フレキシブルディスプレイスクリーン１００の非表示領域に位置する湾曲領域３０と、を備える。湾曲領域３０は、少なくとも１つの配線層（図示せず）を備え、配線層は離間して配列された複数の導線を備える。各導線は、導線を通過する同じ電流信号を送信するための少なくとも２つの電流経路を備える。
【００１１】
具体的には、表示領域を駆動して表示できるように、非表示領域２０は、主にいろいろなメインライン、配線層、ＩＣ等の駆動装置を設置するために用いられる。非表示領域２０は、順次に積層された基板、絶縁層及びパッシベーション層をさらに備える。基板はコンポーネントを積載及びサポートするために用いられる。絶縁層は、配線層を絶縁的に設置するために用いられる。パッシベーション層は、配線層の表面に形成されており、水蒸気や酸素などの外界要因による配線層の損壊を避けることができ、配線層を保護する役割を果たす。本実施形態において、フレキシブルディスプレイスクリーン１００のデータライン及び走査線は非表示領域２０に集まり、配線層の導線を介してＩＣなどのデバイスに電気的に接続される。表示領域１０の形状及び非表示領域２０の配置は、図１に示された例示的なフレキシブルディスプレイスクリーン１００に限定されないことが理解されるべきである。表示領域１０の形状は、多角形、円形又は楕円形などであることができる。具体的に実際の状況に合わせて設置する。
【００１２】
本願は、フレキシブルディスプレイスクリーン１００の配線層内に少なくとも２つの電流経路を設置することにより、フレキシブルディスプレイスクリーン１００の曲げ過程で大きい引張応力による導線の損傷を効果的に避けることができ、従ってフレキシブルディスプレイスクリーン１００における導線断線又は導線接続中断の確率を低減する。このようにして、フレキシブルディスプレイスクリーン１００の安定性が大幅に向上し、フレキシブルディスプレイスクリーン１００の使用寿命を延長する。本実施形態において、少なくとも２つの電流経路は導線に設置されたスルーホールグループを通過するが、具体的には、以下の実施形態において説明する。
【００１３】
図３及び図４を参照し、本発明の第一実施形態において、配線層は１層構造である。スルーホールグループは、配線層の各導線２１に離間して並んで配置された第一スルーホールグループＡ及び第二スルーホールグループＢを備える。第一スルーホールグループＡは離間して配置された複数の第一スルーホール２１１を備え、第二スルーホールグループＢは離間して配置された複数の第二スルーホール２１２を備える。電流経路は、複数の第一スルーホール２１１及び複数の第二スルーホール２１２以外の領域によって形成される。複数の第一スルーホール２１１の間の間隔、複数の第二スルーホール２１２の間の間隔、第一スルーホール２１１と第二スルーホール２１２との間の間隔は、電流経路を形成する。第一スルーホールグループＡの第一スルーホール２１１及び第二スルーホールグループＢの第二スルーホール２１２は、いずれも導線２１の延在方向に平行する方向に沿って配列される。導線２１の延在方向に垂直する方向では、各々の隣り合う２つの第一スルーホール２１１の間の隙間に対向して１つの第二スルーホール２１２が設置され、且つ第一スルーホールグループＡの延在方向に垂直な方向への第二スルーホール２１２の正射影は、この第二スルーホール２１２に対応する隣り合う２つの第一スルーホール２１１の間の隙間を覆う。他の実施形態において、第一スルーホール２１１と第二スルーホール２１２は位置をずらして設置されてもよく、１対１で対応して設置されてもよい。
【００１４】
具体的には、導線２１における第一スルーホール２１１を迂回する導線部分は１つの電流経路であることができる。導線２１における第二スルーホール２１２を迂回する導線部分も１つの電流経路であることができる。また、導線２１における第一スルーホール２１１及び第二スルーホール２１２を迂回する導線部分も１つの電流経路であることができる。電流が導線２１の一端に入ってから導線２１の他端から出すことができると、１つの電流経路とすることができると理解されるべきである。
【００１５】
図４に示されたように、第一スルーホール２１１及び第二スルーホール２１２は、円形の孔である。複数の第一スルーホール２１１は、離間して直線に沿って配置される。各第二スルーホール２１２は、各々の隣り合う２つの第一スルーホール２１１の間の隙間Ｓに対向する。図４に示されたように、隙間Ｓは隣り合う２つの第一スルーホール２１１の間の最短距離であり、且つ第一スルーホールグループＡの延在方向に垂直な方向への第二スルーホール２１２の正射影は隙間Ｓを覆う。図４に示されたように、フレキシブルディスプレイスクリーン１００が曲がっていない状態にあるとき、電流は最小の抵抗値を有する電流経路ａに沿って流れて導通を実現する。しかしながら、図５に示されたように、フレキシブルディスプレイスクリーン１００が曲げられて、導線２１の両側が同時に断裂されて複数の断裂部２１３を形成する場合、断裂部２１３は一般的に導線２１の長手方向に垂直する方向に沿って延びる。しかしながら、第一スルーホール２１１及び/又は第二スルーホール２１２が存在するので、断裂部２１３は第一スルーホール２１１及び/又は第二スルーホール２１２で終わり、従って導線２１が完全に断裂されて電流経路に開回路が発生することを免れる。導線２１が完全に断裂されていない場合、電流は導線２１の第一スルーホール２１１と第二スルーホール２１２との間の導線領域を通過して電流経路ｂを形成し、導線２１の電流経路は導通し続ける。上述したように、導線２１に第一スルーホール２１１及び第二スルーホール２１２を設置すると、導線２１が湾曲されたときの導線２１の応力を低減することができるばかりではなく、導線２１に断裂部２１３が形成されたとき、導線２１全体が断裂されて断線することを免れることができ、従って導線断線確率を効果的に低減し、導線２１の使用寿命を延長する。他の実施形態において、複数の第一スルーホール２１１及び複数の第二スルーホール２１２の形状は、円形、多角形、楕円形のうちの二種以上を備えることができる。実際の情況によって設置することができる。
【００１６】
また、図６に示されたように、導線２１は第三スルーホールグループＣをさらに備え、第二スルーホールグループＢと第三スルーホールグループＣは離間して並んで配置される。第三スルーホールグループＣは、導線の延在方向に平行する方向に沿って配置された複数の第三スルーホール２１４を備える。具体的には、導線２１の延在方向に垂直する方向では、各第三スルーホール２１４は各々の隣り合う２つの第一スルーホール２１１の間の隙間に対向するか、又は各第三スルーホール２１４は各々の隣り合う２つの第二スルーホール２１２の間の隙間に対向する。電流経路は、複数の第一スルーホール２１１、複数の第二スルーホール２１２及び複数の第三スルーホール２１４以外の領域によって形成される。複数の第一スルーホール２１１の間の間隔、複数の第二スルーホール２１２の間の間隔、複数の第三スルーホール２１４の間の間隔、第一スルーホール２１１と第二スルーホール２１２との間の間隔、第二スルーホール２１２と第三スルーホール２１４との間の間隔は、電流経路を形成する。本実施形態において、第三スルーホール２１４は、円形の孔である。各第三スルーホール２１４は、各々の隣り合う２つの第二スルーホール２１２の間の隙間に対向し、且つ第二スルーホールグループＢの延在方向に垂直な方向への第三スルーホール２１４の正射影は隙間を覆う。第三スルーホール２１４の配列方式は、図６に示された例示的な位置に限定されないことを理解されるべきである。導線２１の任意の位置で導線２１の延在方向に垂直する方向に沿って断面を形成する場合、断面には少なくとも１つの第一スルーホール２１１、第二スルーホール２１２又は第三スルーホール２１４が存在する。
【００１７】
図６に示されたように、フレキシブルディスプレイスクリーン１００が曲がっていない状態にあるとき、電流は最小の抵抗値を有する電流経路ａに沿って導通される。しかしながら、図７に示されたように、フレキシブルディスプレイスクリーン１００が曲げられて、導線２１の両側が同時に断裂されて複数の断裂部２１３を形成する場合、断裂部２１３は一般的に導線２１の長手方向に垂直する方向に沿って延びる。第一スルーホール２１１及び/又は第二スルーホール２１２が存在するので、断裂部２１３は第一スルーホール２１１及び/又は第二スルーホール２１２で終わる。また、電流経路ａが存在する部分の導線に断裂部２１３が形成されるので、電流経路ａに開回路が発生する。このように、導線２１が断裂されていない部分、第二電流経路によって電流導通を実現する。フレキシブルディスプレイスクリーン１００の曲げ応力が大きい場合、第三スルーホール２１４で終わった断裂部２１３は続いて反対側へ延在され、断裂部２１３は第二スルーホール２１２で終わる。このように、電流経路ｂに開回路が発生する。しかしながら、導線２１には断裂されない部分が存在するので、電流は電流経路ｃによって電流導通を実現する。従って導線２１に第三スルーホールグループＣをさらに設置することにより、導線２１に第一スルーホールグループＡと第二スルーホールグループＢだけを設置することに比べて、電流経路が増加する。また、導線２１に第三スルーホール２１４を設置すると、導線２１に断裂部２１３が形成されたとき、導線２１が完全に断裂されて断線することをさらに免れることができ、導線２１の断線確率をさらに低減し、導線２１の使用寿命を延長する。他の実施形態において、導線２１はさらに複数のスルーホールグループを備えることができるが、導線２１の電気的接続を確保するために、導線２１の各スルーホールグループのスルーホールのサイズは相対的に小さくなる。具体的に、実際の情況によって設置することができる。
【００１８】
本願の第二実施形態は、第一実施形態と異なり、図８に示されたように、第一スルーホール２１１及び第二スルーホール２１２は、多角形の孔である。 本実施形態において、第一スルーホール２１１及び第二スルーホール２１２は、矩形孔である。矩形孔は、導線２１の延在方向に平行する長辺と、導線２１の延在方向に垂直する短辺と、を有する。このように、矩形孔の短辺の長さを短くすることにより、第一実施形態のように導線２１の断線確率を低減し且つ導線２１の使用寿命を延長することができるばかりではなく、導線２１の堅さも確保することができる。また、導線２１には矩形形状の第三スルーホールグループが設置され得る。第三スルーホールグループは導線の延在方向に平行する方向に沿って配列された複数の第三スルーホールを備える。このように、導線２１の断線確率をさらに低減することができ、従って導線２１の使用寿命を延長する。
【００１９】
本願の第三実施形態は、第一実施形態と異なり、図９に示されたように、第一スルーホール２１１及び第二スルーホール２１２は、楕円形の孔である。楕円形の孔は、導線２１の延在方向に平行する長軸と、導線２１の延在方向に垂直する短軸と、を有する。長軸の長さを増加し且つ短軸の長さを短くすることにより、第一実施形態のように導線２１の断線確率を低減し且つ導線２１の使用寿命を延長することができるばかりではなく、導線２１の堅さも確保することができる。また、楕円形の孔の辺縁は曲線形状であるので、楕円形辺縁の導線２１は曲げ方向に対して特定の角度が存在し、楕円形辺縁の導線２１部分は、導線２１の応力を大幅に低減することができ、導線２１の断線を免れる。また、導線２１には楕円形形状の第三スルーホールグループが設置され得る。導線２１の断線確率をさらに低減することができ、従って導線２１の使用寿命を延長する。
【００２０】
図１０を参照すると、図１０は、図１に示されたフレキシブルディスプレイスクリーンの導線の第四実施形態の概略図である。第一実施形態と異なり、第四実施形態において、配線層は積層絶縁設置された第一配線層（図示せず）及び第二配線層（図示せず）を備える。本実施形態において、第一配線層及び第二配線層は、電極配線を備える電極層である。第一配線層は離間して配列された複数の第一導線２２を備え、第二配線層は離間して配列された複数の第二導線２３を備え、第一導線２２と第二導線２３は１対１で対応し、具体的な接続は表示領域２０から伸び出した端部で収束端を形成することができ、第一導線２２と第二導線２３との間には離間された複数の導体２１５が接続されて複数の電流経路を形成する。第一導線２２及び第二導線２３は電極線であることができ、又は他の信号配線を備えることもできる。また、第一導線２２、第二導線２３及び導体２１５における複数の電流経路は、収束端からの電流信号を送信するために用いられる。例えば、第一導線２２、第二番目の導体２１５及び第二導線２３は、１つの電流経路を形成する。なお、第一導線２２、第二番目を除く任意の複数の導体２１５及び第二導線２３も、１つの電流経路を形成する。第一配線層と第二配線層との間には誘電体層が設置され、導体２１５は誘電体層に設置され且つ第一導線２２及び第二導線２３に接続される。第一導線２２と第二導線２３は互いに平行し且つ対向して設置される。本実施形態において、第一導線２２の第２配線層への正射影と第二導線２３は完全に重なる。
【００２１】
図１０に示されたように、フレキシブルディスプレイスクリーン１００が曲がっていない状態にあるとき、電流は最小の抵抗値を有する電流経路ａに沿って導通される。第一ケースの図１１に示されたように、第一導線２２に電流経路ａが存在し、フレキシブルディスプレイスクリーン１００が曲げられて、第一導線２２が断裂し、第一導線２２上の電流経路ａに開回路が発生すると、断裂部２１３が形成されなかった第二導線２３は電流経路として使用することができ、電流は第二導線２３を通過して導通を実現する。又は、第二導線２３に電流経路ａが存在し、フレキシブルディスプレイスクリーン１００が曲げられて、第二導線２３が断裂し、第二導線２３上の電流経路ａに開回路が発生すると、電流は第一導線２２を通過して導通を実現する。配線層に第一配線層及び第二配線層を設置することにより、電流経路を増加することができ、第一導線２２又は第二導線２３に断裂部２１３が形成された場合、ただ１つの導線を有することに比べて、導線の断裂によるディスプレイスクリーン１００の断線現象が発生しなく、従って導線断線確率を効果的に低減し、導線の使用寿命を延長する。さらに、１つの導線に比べて、第一導線２２及び第二導線２３は、曲げ応力に対する導線の抵抗を増加させることができる。
【００２２】
第二ケースの図１２に示されたように、第一導線２２及び第二導線２３が同時に断裂され、且つ断裂部２１３が異なる導体２１５の間に位置する。断裂部２１３は導線２１の延在方向に垂直する方向に沿って延在し、且つ第一導線２２及び第二導線２３は両方とも断裂される。このとき、第一導線２２及び第二導線２３は両方とも断裂し、即ち第一導線２２又は第二導線２３に位置する電流経路ａに開回路が発生する。しかしながら、第一配線層と第二配線層との間には導体２１５が設置されているので、電流は第一導線２２、第二導線２３及び導体２１５によって曲線的に導通することができ、即ち電流経路ｂを形成する。曲線的な導通は、図１２に示された例示的な電流経路ｂに限定されないことが理解されるべきである。従って、配線層に第一配線層及び第二配線層を設置し、且つ第一配線層と第二配線層との間に複数の導体２１５を設置することにより、電流経路が大幅に増加し、導線断線確率を大幅に減少し、フレキシブルディスプレイスクリーン１００の寿命を延長することができる。
【００２３】
また、図１３に示されたように、第一導線２２及び/又は第二導線２３には離間して並んで配置された第一スルーホールグループＡ及び第二スルーホールグループＢが設置されている。第一スルーホールグループＡは離間して配列された複数の第一スルーホール２１１を備え、第二スルーホールグループＢは離間して配列された複数の第二スルーホール２１２を備える。複数の第一スルーホール２１１及び複数の第二スルーホール２１２は、いずれも第一導線２２の延在方向に平行する方向に沿って配列され、且つ第一導線２２の延在方向に垂直する方向では、各第二スルーホール２１２は各々の隣り合う２つの第一スルーホール２１１の間の隙間に対向し、且つ第一スルーホールグループＡの延在方向に垂直な方向への第二スルーホール２１２の正射影は隙間を覆う。
【００２４】
本実施形態において、第一スルーホール２１１及び第二スルーホール２１２の両方が円形の孔である。複数の第一スルーホール２１１は、離間して直線に沿って配置される。各第二スルーホール２１２は、各々の隣り合う２つの第一スルーホール２１１の間の隙間に対向し、且つ第一スルーホールグループＡの延在方向に垂直な方向への第二スルーホール２１２の正射影は隙間を覆う。第一スルーホール２１１の配列方式は、図１３に示された例示的な第一導線２２及び第二導線２３に限定されないことが理解されるべきである。他の実施形態では、複数の第一スルーホール２１１及び複数の第二スルーホール２１２の形状は、円形、多角形、楕円形のうちの二種以上を備えることができる。具体的には、実際の情況によって設置することができる。
【００２５】
図１３に示されたように、フレキシブルディスプレイスクリーン１００が曲がっていない状態にあるとき、電流は最小の抵抗値を有する電流経路ａに沿って導通される。図１４に示されたように、フレキシブルディスプレイスクリーン１００が曲げられて、第一導線２２及び第二導線２３が同時に断裂され、且つ断裂部２１３は異なる導体２１５の間に位置する。具体的には、第二導線２３は断裂部２１３によって２つの部分に分けられるが、第一導線２２には第一スルーホールグループＡ及び第二スルーホールグループＢが存在するので、第一導線２２の１つの辺縁に断裂が発生し、断裂部２１３は導線２１の延在方向に垂直する方向に沿って延在され、断裂部２１３は第一スルーホール２１１及び/又は第二スルーホール２１２で終わり、電流経路ａに開回路が発生する。第一導線２２は完全に断裂されなかったので、電流は電流経路ｂに沿って導通される。第一導線２２に第一スルーホールグループＡ及び第二スルーホールグループＢを設置することにより、各第一導線２２は同じ電流信号を送信するための電流経路がさらに増加する。従って、第一導線２２に第一スルーホールグループＡ及び第二スルーホールグループＢを設置することにより、曲げ応力を低減することができるばかりではなく、第一導線２２に断裂が発生した場合、第一導線２２全体が断裂されて断線することを免れることができ、第一導線２２の断線確率をさらに低減し、第一導線２２の使用寿命を延長する。他の実施形態において、第一スルーホールグループＡ及び第二スルーホールグループＢは、第二導線２３に設置することができ、又は各第一導線２２及び第二導線２３に同時に設置することができる。
【００２６】
さらに、第一導線２２及び/又は第二導線２３には第二スルーホールグループＢと離間して並んで配置された第三スルーホールグループ（図示せず）が設置され得る。第三スルーホールグループは導線の延在方向に平行する方向に沿って配列された複数の第三スルーホール（図示せず）を備える。具体的には、導線２１の延在方向に垂直する方向では、各第三スルーホールは、各々の隣り合う２つの第一スルーホール２１１の間の隙間Ｓに対向するか、又は各々の隣り合う２つの第二スルーホール２１２の間の隙間Ｓに対向する。電流経路は、複数の第一スルーホール２１１、複数の第二スルーホール２１２及び複数の第三スルーホール２１４以外の領域によって形成される。具体的には、第一導線２２に第三スルーホールグループをさらに設置することにより、第一導線２２に第一スルーホールグループＡ及び第二スルーホールグループＢだけを設置することに比べて、電流経路がさらに増加する。また、第一導線２２に第三スルーホールを設置すると、第一導線２２に断裂部２１３が形成されるとき、第一導線２２が完全に断裂されて断線することをさらに免れることができ、第一導線２２の断線確率をさらに低減し、導線の使用寿命を延長する。他の実施形態において、第三スルーホールグループは、第二導線２３に設置することができ、又は各第一導線２２及び第二導線２３に同時に設置することができる。
【００２７】
本願の第五実施形態は、第四実施形態と異なり、図１５に示されたように、第一導線２２及び第二導線２３は長手方向に沿って曲線形で延在される。導体２１５は第一導線２２及び第二導線２３の湾曲部に接続されている。第四実施形態で説明されたように、曲線形で形成された第一導線２２及び第二導線２３に導体２１５を設置することにより、電流経路が大幅に増加し、導線断線確率を大幅に減少する。また、第一導線２２と第二導線２３は導線の延在方向に沿って曲線状に延在されるので、第一導線２２及び第二導線２３は曲げ方向に対して特定の角度が存在し、第一導線２２と第二導線２３の応力を大幅に低減することができ、第一導線２２と第二導線２３が断線することを免れる。他の実施形態では、第一導線２２及び第二導線２３は長手方向に沿って波状に延在される。第一導線２２及び第二導線２３の波の山と波の谷は互いに対応して設置される。導体２１５は第一導線２２の波の谷及び第二導線２３の波の山に接続される。従って、波形の第一導線２２及び第二導線２３に導体２１５を設置することにより、電流経路が大幅に増加し、導線断線確率を大幅に低減する。
【００２８】
第四実施形態と異なり、本願の第六実施形態において、第一導線２２及び第二導線２３には帯状の貫通孔２１６が設置されており、帯状の貫通孔２１６は、第一導線２２の延在方向に平行する方向に沿って延在され、且つ導体２１５に隣接する。具体的には、フレキシブルディスプレイスクリーン１００が曲がっていない状態にあるとき、電流は電流経路ａに沿って導通される。しかしながら、フレキシブルディスプレイスクリーン１００が曲げられて、第一導線２２及び第二導線２３が同時に断裂されると、第一導線２２及び第二導線２３に断裂部２１３が形成され、且つ断裂部２１３は異なる導体２１５の間に位置する。具体的には、第一導線２２及び第二導線２３には帯状の貫通孔２１６が設置されているので、第一導線２２及び第二導線２３の断裂部２１３は帯状の貫通孔２１６で終わり、電流経路ａに開回路が発生する。第一導線２２及び第二導線２３は完全に断裂されなかったので、第一導線２２には電流導通を実現するための第二電流経路が存在する。第一導線２２及び第二導線２３には帯状の貫通孔２１６が設置されているので、第一導線２２及び第二導線２３に断裂部が形成された場合、第一導線２２全体及び第二導線２３全体が断裂されて断線することを免れることができ、第一導線２２及び第二導線２３の断線確率を効果的に低減し、導線の使用寿命を延長する。さらに、１つの導線に比べて、第一導線２２及び第二導線２３は、曲げ応力に対する導線の抵抗を増加させることができる。
【００２９】
本発明は、フレキシブルディスプレイスクリーン１００を備えるフレキシブルデバイスを提供する。フレキシブルデバイスは、タッチスクリーン、タッチ端末、車載デバイス、ネットワークＴＶ、ウェアラブルデバイスなどであることができる。
【００３０】
上述したのは本発明の好ましい実施形態であり、当業者であれば、本発明の原理を逸脱しない範囲内で同等の改良及び修正を行うことができ、このような改良及び修正は本発明の範囲に属するものである。
【図１】
2021508852.tif 000003
【図２】
2021508852.tif 000004
【図３】
2021508852.tif 000005
【図４】
2021508852.tif 000006
【図５】
2021508852.tif 000007
【図６】
2021508852.tif 000008
【図７】
2021508852.tif 000009
【図８】
2021508852.tif 000010
【図９】
2021508852.tif 000011
【図１０】
2021508852.tif 000012
【図１１】
2021508852.tif 000013
【図１２】
2021508852.tif 000014
【図１３】
2021508852.tif 000015
【図１４】
2021508852.tif 000016
【図１５】
2021508852.tif 000017
【図１６】
2021508852.tif 000018
【手続補正書】
【提出日】令和2年6月26日(2020.6.26)
【手続補正１】
【補正対象書類名】明細書
【補正対象項目名】００１２
【補正方法】変更
【補正の内容】
【００１２】
本願は、フレキシブルディスプレイスクリーン１００の配線層内に少なくとも２つの電流経路を設置することにより、フレキシブルディスプレイスクリーン１００の曲げ過程で大きい引張応力による導線の損傷を効果的に避けることができ、従ってフレキシブルディスプレイスクリーン１００における導線断線又は導線接続中断の確率を低減する。このようにして、フレキシブルディスプレイスクリーン１００の安定性が大幅に向上し、フレキシブルディスプレイスクリーン１００の使用寿命を延長する。本実施形態において、少なくとも２つの電流経路について、具体的には、以下の実施形態において説明する。
【手続補正２】
【補正対象書類名】明細書
【補正対象項目名】００１６
【補正方法】変更
【補正の内容】
【００１６】
また、図６に示されたように、導線２１は第三スルーホールグループＣをさらに備え、第二スルーホールグループＢと第三スルーホールグループＣは離間して並んで配置される。第三スルーホールグループＣは、導線の延在方向に平行する方向に沿って離間して配置された複数の第三スルーホール２１４を備える。具体的には、導線２１の延在方向に垂直する方向では、各第三スルーホール２１４は各々の隣り合う２つの第一スルーホール２１１の間の隙間に対向するか、又は各第三スルーホール２１４は各々の隣り合う２つの第二スルーホール２１２の間の隙間に対向する。電流経路は、複数の第一スルーホール２１１、複数の第二スルーホール２１２及び複数の第三スルーホール２１４以外の領域によって形成される。複数の第一スルーホール２１１の間の間隔、複数の第二スルーホール２１２の間の間隔、複数の第三スルーホール２１４の間の間隔、第一スルーホール２１１と第二スルーホール２１２との間の間隔、第二スルーホール２１２と第三スルーホール２１４との間の間隔は、電流経路を形成する。本実施形態において、第三スルーホール２１４は、円形の孔である。各第三スルーホール２１４は、各々の隣り合う２つの第二スルーホール２１２の間の隙間に対向し、且つ第二スルーホールグループＢの延在方向に垂直な方向への第三スルーホール２１４の正射影は隙間を覆う。第三スルーホール２１４の配列方式は、図６に示された例示的な位置に限定されないことを理解されるべきである。導線２１の任意の位置で導線２１の延在方向に垂直する方向に沿って断面を形成する場合、断面には少なくとも１つの第一スルーホール２１１、第二スルーホール２１２又は第三スルーホール２１４が存在する。
【手続補正３】
【補正対象書類名】明細書
【補正対象項目名】００１７
【補正方法】変更
【補正の内容】
【００１７】
図６に示されたように、フレキシブルディスプレイスクリーン１００が曲がっていない状態にあるとき、電流は最小の抵抗値を有する電流経路ａに沿って導通される。しかしながら、図７に示されたように、フレキシブルディスプレイスクリーン１００が曲げられて、導線２１の両側が同時に断裂されて複数の断裂部２１３を形成する場合、断裂部２１３は一般的に導線２１の長手方向に垂直する方向に沿って延びる。第一スルーホール２１１、第二スルーホール２１２及び/又は第三スルーホール２１４が存在するので、断裂部２１３は第一スルーホール２１１、第二スルーホール２１２及び/又は第三スルーホール２１４で終わる。また、電流経路ａが存在する部分の導線に断裂部２１３が形成されるので、電流経路ａに開回路が発生する。このように、導線２１が断裂されていない部分、第二電流経路によって電流導通を実現する。フレキシブルディスプレイスクリーン１００の曲げ応力が大きい場合、第三スルーホール２１４で終わった断裂部２１３は続いて反対側へ延在され、断裂部２１３は第二スルーホール２１２で終わる。このように、電流経路ｂに開回路が発生する。しかしながら、導線２１には断裂されない部分が存在するので、電流は電流経路ｃによって電流導通を実現する。従って導線２１に第三スルーホールグループＣをさらに設置することにより、導線２１に第一スルーホールグループＡと第二スルーホールグループＢだけを設置することに比べて、電流経路が増加する。また、導線２１に第三スルーホール２１４を設置すると、導線２１に断裂部２１３が形成されたとき、導線２１が完全に断裂されて断線することをさらに免れることができ、導線２１の断線確率をさらに低減し、導線２１の使用寿命を延長する。他の実施形態において、導線２１はさらに複数のスルーホールグループを備えることができるが、導線２１の電気的接続を確保するために、導線２１の各スルーホールグループのスルーホールのサイズは相対的に小さくなる。具体的に、実際の情況によって設置することができる。
【手続補正４】
【補正対象書類名】特許請求の範囲
【補正対象項目名】請求項５
【補正方法】変更
【補正の内容】
【請求項５】
前記スルーホールグループの各スルーホールの形状は、円形、楕円形又は多角形のうちの一種又は二種以上であることを特徴とする、
請求項２又は３に記載のフレキシブルディスプレイスクリーン。
【国際調査報告】
2021508852.tif 000019
2021508852.tif 000020
2021508852.tif 000021
2021508852.tif 000022
2021508852.tif 000023
2021508852.tif 000024